(57)【要約】【課題】本発明は、部品点数や装置全体の厚みを抑えながら、アクチュエータの性能を決める弾性支持部材の保護と可動量の規制とを効果的に実現することができる光ピックアップ装置およびその組み立て方法を提供する。【解決手段】本発明の光ピックアップ装置は、アクチュエータ１のレンズホルダーには可動量規制手段１１が設けられており、可動量規制手段１１が筐体２の天井面側に動くことを防止する可動量規制手段２１と、筐体２の内壁とが、一体的に設けられている。これにより、可動量規制手段１１と可動量規制手段２１とが接触することで、レンズホルダー１０の可動量を規制できる。また、可動量規制手段２１は、アクチュエータ１を保護するアクチュエータ保護手段として使用することもできる。【選択図】図１
2011170906.tif 000002
【特許請求の範囲】
【請求項１】
記録媒体上に光ビームを集光する対物レンズ、当該対物レンズを保持して変位させるレンズホルダー、当該レンズホルダーを駆動可能となるように支持する弾性支持部材、及び、当該弾性支持部材の一端を固定するベース部材を備えるアクチュエータと、記録媒体からの戻り光を受光する光学部品とが、筐体に搭載されてなる光ピックアップ装置であって、
上記レンズホルダーには第１の可動量規制手段が設けられており、
上記第１の可動量規制手段が上記筐体の天井面側に動くことを防止する第２の可動量規制手段と、上記筐体の内壁とが、一体的に設けられていることを特徴とする光ピックアップ装置。
【請求項２】
上記アクチュエータを保護するとともに、上記弾性支持部材が上記筐体の天井面側に動くことを防止するアクチュエータ保護手段をさらに備え、
上記アクチュエータ保護手段と、上記筐体の内壁とが、一体的に設けられていることを特徴とする請求項１に記載の光ピックアップ装置。
【請求項３】
上記ベース部材の表面には、上記光学部品をその底面から保護する第１の保護手段が設けられていることを特徴とする請求項１または２に記載の光ピックアップ装置。
【請求項４】
上記筐体の天井面側に、記録媒体に付着した異物を除去する異物除去手段が設けられていることを特徴とする請求項１〜３のいずれか一項に記載の光ピックアップ装置。
【請求項５】
上記筐体の天井面側に、上記記録媒体と上記筐体との接触を防止するための第２の保護手段が設けられていることを特徴とする請求項１〜４の何れか１項に記載の光ピックアップ装置。
【請求項６】
上記筐体の底面側には、上記アクチュエータを取り付け可能な開口部が設けられており、
上記開口部は、上記開口部の前端部に設けられた軸を支点として開閉されることを特徴とする請求項１〜５の何れか１項に記載の光ピックアップ装置。
【請求項７】
請求項６に記載の光ピックアップ装置の組み立て方法であって、
上記開口部を開く工程と、
上記アクチュエータを上記開口部に取り付ける工程と、
上記開口部を閉じることによって、上記アクチュエータを上記筐体に挿入する工程とを含むことを特徴とする光ピックアップ装置の組み立て方法。
【発明の詳細な説明】
【技術分野】
【０００１】
本発明は、光ディスクを記録媒体として再生または記録を行う光ピックアップ装置に関する。
【背景技術】
【０００２】
従来、光ピックアップ装置は、コンパクトディスク（Ｃｏｍｐａｃｔ Ｄｉｓｃ、略称：ＣＤ）およびデジタル多機能ディスク（Ｄｉｇｉｔａｌ Ｖｅｒｓａｔｉｌｅ Ｄｉｓｃ、略称：ＤＶＤ）などの光記録媒体に対して、情報の記録または再生を行う光記録媒体記録再生装置に搭載される。
【０００３】
図６は、光ディスクを記録媒体として使用する従来技術の光ピックアップ装置の構成を示す平面図である。図６（ａ）は光ピックアップ装置の上面図であり、図６（ｂ）は光ピックアップ装置の正面図である。図６に示すように、光ピックアップ装置は、対物レンズ１１０と、アクチュエータと、光源１３０と、立上げミラー１３１およびコリメータレンズ１３２などを含む光学部品と、これら部品を内蔵し搭載した筐体１２０とを備えている。
【０００４】
また、上記アクチュエータは、光ディスク１１２に情報を記録するため、または、光ディスク１１２に記録された情報を再生するために、以下に示す、フォーカス方向駆動手段及びチルト方向駆動手段を有している。即ち、上記アクチュエータは、対物レンズ１１０から検知される光ビーム１３０’を光ディスク１１２上での最適な焦点位置に制御するフォーカス方向駆動手段や、特定のトラックを追従するトラッキング方向駆動手段などを有し、場合によっては、光ディスク１１２の傾きに対応して対物レンズ１１０を傾かせるチルト方向駆動手段を有している。
【０００５】
上記フォーカス方向駆動手段としては、フォーカスコイル１０５と磁石１０３とを使用した駆動機構により、対物レンズ１１０を保持しているレンズホルダー１０１を光軸方向へ動作させ、光ディスク１１２上の光ビームスポットの焦点を一致させるように追従させる。
【０００６】
また、上記トラッキング方向駆動手段としては、トラッキングコイル１０６と磁石１０３とを使用した駆動機構により、対物レンズ１１０を保持しているレンズホルダー１０１を光軸と直交する方向へ動作させ、光ディスク１１２上の特定のトラックに光ビームスポットを追従させる。
【０００７】
ここで、レンズホルダー１０１は、アクチュエータのベースプレート１０７に支持されており、そのベースプレート１０７への支持方法として、例えば、互いに平行に配置された上下左右４本の弾性支持体１０４により、レンズホルダー１０１を片持支持する。なお、フォーカスコイル１０５および磁石１０３によって発生する駆動力により、弾性支持体１０４の曲がり変形を起こすことで、レンズホルダー１０１をフォーカス方向へ駆動可能になっている。同様に、トラッキングコイル１０６および磁石１０３によって発生する駆動力により、弾性支持体１０４の曲がり変形を起こすことで、レンズホルダー１０１をトラッキング方向へ駆動可能になっている。
【０００８】
また、上記互いに平行に配置された上下左右４本の弾性支持体１０４の他方端を固定支持する支持部材１０２を搭載するベースプレート１０７の傾きを変えることで、上記対物レンズ１１０の傾きを最適な姿勢に調整する。
【０００９】
半導体レーザなどの光源１３０から出射する光ビーム１３０’は、コリメータレンズ１３２を介して立上げミラー１３１で進路を変え、さらに対物レンズ１１０を通して光ディスク１１２の信号面に集光される。
【００１０】
また、図６（ｂ）に示すように、アクチュエータの保護手段として、筐体１２０の天面側には、当該アクチュエータを覆うカバー１１１が設置されている。この場合、立上げミラー１０６に対して略直上に対物レンズ１１０を位置させる必要があるため、アクチュエータは、筐体１２０の天面側（カバー１１１が設置された側）より挿入される。つまり、筐体１２０の天井面側の上方開口部からアクチュエータおよび光学部品などを組み立てた後に、その上方から、アクチュエータの保護手段となり、且つ、レンズホルダー１０１の可動量制限手段にも用いられるカバー１１１を取り付ける。
【００１１】
なお、アクチュエータの保護手段（レンズホルダーの可動量規制手段を含む）となるカバーの設置方法として、特許文献１に係る発明では、アクチュエータを保護するカバーと筐体とが別体に構成されている。このため、使用時の振動など外乱によってカバーの浮き、外れ、変形の可能性があり、カバーに可動量制限手段を持たせた場合、設定可動量を超えて可動してアクチュエータが破損する可能性もある。
【００１２】
また、特許文献２に係る発明では、アクチュエータを覆う筐体（カバー）と、光学部品を載せる部分の筐体が別体になっており、且つ２つの筐体の接合部分にラビリンス構造を構成する形状が広範囲に必要になっている。このため、安価で薄型の構造が容易ではない。
【００１３】
上記特許文献１，２に係る発明に比べ、特許文献３に係る発明では、筐体とアクチュエータの全体あるいは一部を天面より保護する手段とを一体的に構成し、またフォーカス方向の可動量も上記保護手段で自在に設定できる。但し、特許文献３の構成によれば、フォーカスコイル１０５および磁石１０３によって発生する駆動力により、弾性支持体１０４の曲がり変形を起こすことで、レンズホルダー１０１をフォーカス方向へ駆動可能になっている。同様に、トラッキングコイル１０６および磁石１０３によって発生する駆動力により、弾性支持体１０４の曲がり変形を起こすことで、レンズホルダー１０１をトラッキング方向へ駆動可能になっている。ブルーレイディスク（Ｂｌｕ−ｒａｙ  Ｄｉｓｃ（登録商標）、略称：ＢＤ）などの対物レンズの作動距離が短いディスクメディアには、保護手段部分の肉厚が薄くなりすぎて、記録／再生の実現が困難になる。
【先行技術文献】
【特許文献】
【００１４】
【特許文献１】特開平７−８５４９３号公報      （公開日：１９９５年３月３１日）
【特許文献２】特開２００５−２１６３２９号公報（公開日：２００５年８月１１日）
【特許文献３】特開２００６−１２３０２号公報  （公開日：２００６年１月１２日）
【発明の概要】
【発明が解決しようとする課題】
【００１５】
上述したように、従来のような構成によれば、アクチュエータの保護手段として別体のカバーが使用されたり、少なくとも筐体の一部がカバーと一体化される場合にあっても、カバー部分の浮き、外れ、変形の懸念がある。
【００１６】
また、アクチュエータの保護手段となるカバーなどをレンズホルダーの可動量規制手段として用いるが、上記従来技術の構成には、カバーの側面から見て、カバー部分の浮き、外れ、変形により可動量規制が無効になる懸念や、対物レンズの作動距離の短いディスクメディアには天面カバーと筐体との一体化が非常に困難になるなどの問題がある。
【００１７】
そこで、本発明は、上記従来の課題に鑑みてなされたものであり、部品点数や装置全体の厚みを抑えながら、アクチュエータの性能を決める弾性支持部材の保護と可動量の規制とを効果的に実現することができる光ピックアップ装置およびその組み立て方法を提供することを目的とする。
【課題を解決するための手段】
【００１８】
本発明の光ピックアップ装置は、上記課題を解決するために、記録媒体上に光ビームを集光する対物レンズ、当該対物レンズを保持して変位させるレンズホルダー、当該レンズホルダーを駆動可能となるように支持する弾性支持部材、及び、当該弾性支持部材の一端を固定するベース部材を備えるアクチュエータと、記録媒体からの戻り光を受光する光学部品とが、筐体に搭載されてなる光ピックアップ装置であって、上記レンズホルダーには第１の可動量規制手段が設けられており、上記第１の可動量規制手段が上記筐体の天面側に動くことを防止する第２の可動量規制手段と、上記筐体の内壁とが、一体的に設けられていることを特徴とする。
【００１９】
上記発明によれば、上記第１の可動量規制手段が上記筐体の天面側に動くことを防止する第２の可動量規制手段と、上記筐体の内壁とが、一体的に設けられている。よって、筐体の内壁に一体的に設けられた第２の可動量規制手段は、アクチュエータのレンズホルダーに設けられた第１の可動量規制手段に対応しそれと組み合わせて、アクチュエータのレンズホルダーの可動量を制限できる。即ち、第１の可動量規制手段と第２の可動量規制手段とが接触することで、レンズホルダーの可動量を規制できる。
【００２０】
また、上記第２の可動量規制手段は、上記アクチュエータを保護するアクチュエータ保護手段として使用することもできる。
【００２１】
従って、レンズホルダーの可動量を制限するための別体部品を設置する必要がなく、且つ部品点数や光ピックアップ装置の厚みを抑えながら、アクチュエータの性能を決める弾性支持体の保護と可動量の規制とを効果的に実現することが可能となり、光ピックアップ装置の小型化が実現できる。
【００２２】
また、筐体にレンズホルダーの可動量の制限手段を設けることで、可動量規制だけでなく、対物レンズのクリーニングなど取り扱いによる弾性支持部材の変形から改善させ、生産性の向上と顧客によるレンズクリーニングによる弊害を低減することが可能となる。
【００２３】
好ましくは、上記光ピックアップ装置において、上記アクチュエータを保護するとともに、上記弾性支持部材が上記筐体の天井面側に動くことを防止するアクチュエータ保護手段をさらに備え、上記アクチュエータ保護手段と、上記筐体の内壁とが、一体的に設けられている。
【００２４】
この構成によれば、上記弾性支持体を保護する手段を上記筐体の内壁に一体的に設けることで、光ピックアップ装置の厚み方向のサイズを増やすことなく弾性支持体を保護し、性能を維持することが可能となる。
【００２５】
好ましくは、上記光ピックアップ装置において、上記ベース部材の表面には、上記光学部品をその底面から保護する第１の保護手段が一体的に設けられている。
【００２６】
この構成によれば、上記光学部品をその底面から保護する第１の保護手段を上記アクチュエータに一体的に設けることで、部品点数を増やすことなく、外的要因から光学部品を保護することが可能となる。
【００２７】
好ましくは、上記光ピックアップ装置において、上記筐体の天井面側には、記録媒体に付着した異物を除去する異物除去手段が設けられている。
【００２８】
この構成によれば、本発明の筐体上にカバーなど別体部品がないので、上記異物除去手段を、対物レンズへの異物付着が低減できる位置に自由に設計することができ、顧客における対物レンズのクリーニング機会を減少させ、商品寿命を向上させることが可能となる。
【００２９】
好ましくは、上記光ピックアップ装置において、上記筐体の天井面側に、上記記録媒体と上記筐体との接触を防止するための第２の保護手段が設けられている。
【００３０】
この構成によれば、本発明の筐体上にはカバーなど別体部品がないので、上記第２の保護手段を、自由に設計することができ、部品点数を増やすことなく記録媒体の樹脂面傷から保護することができる。
【００３１】
好ましくは、上記筐体の底面側には、上記アクチュエータを取り付け可能な開口部が設けられており、上記開口部は、上記開口部の前端部に設けられた軸を支点として開閉される。
【００３２】
この構成によれば、上記開口部は、上記開口部の前端部に設けられた軸を支点として開閉されるので、上記アクチュエータを上記開口部に取り付けた後に、上記軸を支点として上記開口部を閉じることにより、上記アクチュエータを筐体の底面側から挿入し、対物レンズが立上げミラーの上方に配置されるように組み立てることができ、組み立て作業をより簡素化することが可能となる。
【００３３】
上記光ピックアップ装置の組み立て方法は、上記課題を解決するために、上記開口部を開く工程と、上記アクチュエータを上記開口部に取り付ける工程と、上記開口部を閉じることによって、上記アクチュエータを上記筐体に挿入する工程とを含むことを特徴とする。
【００３４】
この構成によれば、上記アクチュエータを上記筐体に挿入できる。従って、対物レンズが立上げミラーの上方に配置されるように組み立てることができ、組み立て作業をより簡素化することが可能となる。
【発明の効果】
【００３５】
本発明の光ピックアップ装置は、以上のように、レンズホルダーには第１の可動量規制手段が設けられており、上記第１の可動量規制手段が筐体の天井面側に動くことを防止する第２の可動量規制手段と、上記筐体の内壁とが、一体的に設けられているものである。
【００３６】
それゆえ、部品点数や装置全体の厚みを抑えながら、アクチュエータの性能を決める弾性支持部材の保護と可動量の規制とを効果的に実現することができる光ピックアップ装置およびその組み立て方法を提供するという効果を奏する。
【図面の簡単な説明】
【００３７】
【図１】本発明の実施の形態に係る光ピックアップ装置の構成を示す概略平面図であり、（ａ）は上面図、（ｂ）は正面図である。
【図２】図１の光ピックアップ装置を構成するアクチュエータと、光学部品が装着された筐体とを別々に示した斜視図である。
【図３】図２における構成を組み立てた後の構成を示す斜視図である。
【図４】図２における構成を組み立てる途中の様子を示す斜視図である。
【図５】本発明の実施の形態に係る光ピックアップ装置の変形構成を示す概略図である。
【図６】従来技術に係る光ピックアップ装置の構成を示す概略平面図であり、（ａ）は上面図、（ｂ）は正面図である。
【発明を実施するための形態】
【００３８】
以下、図面を参照して本発明の実施の形態について詳細に説明する。もちろん、本発明はこれに限定されるものではなく、この実施形態に記載されている構成部品の形状、その相対配置などは、特に限定的な記載がない限り、この発明の範囲をそれのみに限定する趣旨ではなく、単なる説明例に過ぎない。また、本発明の各実施の形態において、同じ構成を有するものに対しては、同じ名称かつ同じ符号を付けて説明する。
【００３９】
（光ピックアップ装置の構成）
まず、図１，２を参照して、本発明の実施の形態における光ピックアップ装置の構成を詳しく説明する。図１は、本発明の実施の形態における光ピックアップ装置を示す概略構成図である。図１（ａ）は上面図であり、図１（ｂ）は正面図である。図２は、アクチュエータ１と、筐体２との構成を単独に示した斜視図である。
【００４０】
図１（ａ），（ｂ）に示すように、本実施の形態による光学ピックアップ装置は、対物レンズ１０’と、光学部品と、アクチュエータ１と、これら部品を搭載するための筐体２とを備えている。
【００４１】
対物レンズ１０’は、記録媒体４０に光ビーム（図示せず）を集光する。ここで、記録媒体として、コンパクトディスク（Ｃｏｍｐａｃｔ Ｄｉｓｃ、略称：ＣＤ）、デジタル多機能ディスク（Ｄｉｇｉｔａｌ Ｖｅｒｓａｔｉｌｅ Ｄｉｓｃ、略称：ＤＶＤ）およびブルーレイディスク（Ｂｌｕ−ｒａｙ  Ｄｉｓｃ（登録商標）、略称：ＢＤ）などを用い、半導体レーザなどの光源３０（図２を参照）から出射する光ビーム（図示せず）を用いることができる。
【００４２】
光学部品は、上記記録媒体からの戻り光を受光するものであり、本実施の形態においては、図２に示すような立上げミラー３１およびコリメータレンズ３２などを含み、これら光学部品は、上記光源から出射する光ビームが、コリメータレンズ３２を介して立上げミラー３１に入射し、さらに立上げミラー３１で進路を変えてから対物レンズ１０’を通して記録媒体の信号面に集光されるように、筐体２の中に搭載されている。
【００４３】
アクチュエータ１は、対物レンズ１０’を変位させるものである。図１，２に示すように、アクチュエータ１には、対物レンズ１０’を保持するレンズホルダー１０が配置されている。また、レンズホルダー１０には、対物レンズ１０’をフォーカス方向に駆動させるためのフォーカスコイル１５およびトラッキング方向に駆動させるためのトラッキングコイル１６が取り付けられており、磁気回路手段として上記フォーカスコイル１５およびトラッキングコイル１６挟むように磁石１３が取り付けられている。なお、レンズホルダー１０およびレンズホルダー１０に装着されているフォーカスコイル１５、トラッキングコイル１６および磁石１３は、すべてベースプレート１７（ベース部材）に配置されている。
【００４４】
ここで、レンズホルダー１０のベースプレート１７への支持方法として、例えば、レンズホルダー１０は、ベースプレート１７に取り付け支持された４本の薄い金属板材やワイヤーなどの弾性支持部材１４の一端に固定されている。すなわち、互いに平行に配置された上下左右４本のワイヤー状の弾性支持部材１４により、レンズホルダー１０が片持支持されている。また、この４本の弾性支持部材１４の他端は、支持部材１２を介してベースプレート１７に固定されると共に、ダンピング材を介して支持され、ベースプレート１７に対して可動可能になっている。
【００４５】
フォーカスコイル１５および磁石１３によって発生する駆動力により、弾性支持部材１４の曲がり変形を起こすことで、レンズホルダー１０をフォーカス方向へ駆動可能になっている。同様に、トラッキングコイル１６および磁石１３によって発生する駆動力により、弾性支持部材１４の曲がり変形を起こすことで、レンズホルダー１０をトラッキング方向へ駆動可能になっている。
【００４６】
なお、レンズホルダー１０には、自体の可動量を制限するために用いられる可動量規制手段１１（第１の可動量規制手段）が設けられている。図１（ａ）に示すように、可動量規制手段１１は、弾性支持部材１４の長さ方向とは法線方向となる方向に設けられている。
【００４７】
筐体２は、対物レンズ１０’、アクチュエータ１および光学部品を内蔵し搭載するものであり、図２に示すように、上記部品を囲むように形成されたベースフレーム２０を備えている。ベースフレーム２０の内側壁には、レンズホルダー１０の可動量を制限するための可動量規制手段２１（第２の可動量規制手段）が設けられている。つまり、可動量規制手段２１は、可動量規制手段１１と組み合わせてレンズホルダー１０の可動量を制限するように、ベースフレーム２０の内壁において、可動量規制手段１１と対応できる位置に設けられている。
【００４８】
ここで、以下、アクチュエータ１の以外の部品、すなわち光源３０、立上げミラー３１およびコリメータレンズ３２などを筐体２に搭載してなる構成を、「筐体２」と略称する。
【００４９】
この場合、光ピックアップ装置（アクチュエータ１を含む各部品を筐体２に組み立てた後の装置）において、アクチュエータ１の可動量規制手段１１と支持部材１２との間に弾性支持部材１４が配置されているので、筐体２のベースフレーム２０に設けられる可動量規制手段２１は、弾性支持部材１４と衝突しないように形成される必要がある。
【００５０】
本実施の形態においては、可動量規制手段２１を、ベースフレーム２０の天井面側から底面側に向かってその内壁に設け、アクチュエータ１を筐体２に組み立てた後の構成において、可動量規制手段２１が弾性支持部材１４に接触しないように、その高さを調整することが好ましい。ここで、上記天井面側および底面側については、下記のように定義する。すなわち、アクチュエータ１（図２を参照）において、レンズホルダー１０の対物レンズ１０’が搭載されている側を天井面側とし、ベースプレート１７が取り付けられている側を底面側とする。同じく、筐体２において、アクチュエータ１を筐体２に組み立てた後の構成（図３を参照）に対し、アクチュエータ１の天井面側と同一の側を天井面側とし、その反対側を底面側とする。
【００５１】
そして、アクチュエータ１のレンズホルダー１０に設けられた可動量規制手段１１と、筐体２のベースフレーム２０の内壁に設けられた可動量規制手段２１とを組み合わせる。これにより、可動量規制手段１１と可動量規制手段２１とが接触することで、レンズホルダー１０の可動量を規制できる。また、これだけでなく、生産工程または顧客における対物レンズ１０’のクリーニングなど取り扱いによる弾性支持部材１４の変形を改善させ、生産性の向上と長期信頼性確保を向上させることも可能となる。
【００５２】
本実施の形態において、可動量規制手段２１は、可動量規制手段１１が筐体２の天井面側に動くことを防止するように形成することができるので、上記アクチュエータを保護する手段（弾性支持部材１４が筐体２の天井面側に動くことを防止するアクチュエータ保護手段）としても作用する。例えば、可動量規制手段２１を、アクチュエータ１の弾性支持部材１４の長さ方向に沿って設置して、アクチュエータ１の天井面側から弾性支持部材１４を保護するように、筐体２のベースフレーム２０に一体的に設置することができる（図３を参照）。これにより、部品点数や光ピックアップ装置の厚みを抑えながら、アクチュエータの性能を決める弾性支持体の保護を効果的に実現することが可能となる。
【００５３】
（光ピックアップ装置の組み立て方法）
次に、図１〜４を参照して、アクチュエータ１と筐体２とを組み立てて光ピックアップ装置を構成する方法について説明する。
【００５４】
図３は、アクチュエータ１と筐体２とを組み立てた後の構成を示す斜視図であり、すなわち、図２に別々に示されたアクチュエータ１と、筐体２とを組み合わせてなる構成を示す斜視図である。また、図４は、アクチュエータ１を筐体２に組み立てる途中の様子を示す斜視図である。上記のように、筐体２の内壁には、アクチュエータ１における可動量規制手段１１に対応して、可動量規制手段１１が筐体２の天井面側から底面側に向かって設けられているので、本実施の形態においては、アクチュエータ１を筐体２の底面側から挿入し組み立てて光ピックアップ装置を構成する。
【００５５】
つまり、図６に示すような従来の光ピックアップ装置のように、筐体の天井面側の開口部からアクチュエータを挿入し組み立てる方法と異なり、本発明では、筐体２の底面側からアクチュエータ１を挿入し組み立てる方法を用いる。図４に示すように、アクチュエータ１を筐体２の底面側の開口部２５から挿入して組み立てる。
【００５６】
本発明の実施の形態において、アクチュエータ１の筐体２への組み立て作業をより簡素化するために、以下に示す位置決め部１８及び軸２４を設けることが好ましい。即ち、アクチュエータ１のベースプレート１７の前端部にアクチュエータ１の位置決め部１８（図２を参照）に設け、筐体２の底面側における開口部２５は、開口部２５の前端部に設けられた軸２４を支点として開口できる。ここで、軸２４は、アクチュエータ１と筐体２とを組み立てるとき、アクチュエータ１の位置決め部１８と組み合わせて、筐体２に対し当該位置決め部１８にてアクチュエータ１を回転させることができるように、当該位置決め部１８に対応して形成される。ここで、前端部とは、アクチュエータ１においては、レンズホルダー１０の対物レンズ１０’が搭載される部分に近づいている端部、すなわち、図４において、支持部材１２と離れた側の端部を指し、筐体２においては、アクチュエータ１を搭載したとき、アクチュエータ１の前端部と同じ側にある端部を指す。
【００５７】
そして、位置決め部１８を基準としてアクチュエータ１を筐体２の底面側の開口部２５に取り付けた後に、筐体２の軸２４を支点として開口部２５を閉じることにより、アクチュエータ１を筐体２に挿入する。これにより、対物レンズ１０’の搭載部が立上げミラー３１を回避し、且つ、その上方に配置されるようにする。ここで、軸２４として、簡易的な段差でもよいし、勘合させて確実に回転させる構造でもよい。
【００５８】
これにより、アクチュエータ１筐体２に装着可能となるため、組み立て作業を簡素化させ、光ピックアップ装置の生産性を改善することができる。
【００５９】
ここで、位置決め部１８は、アクチュエータ１を取り付け時に立上げミラー３１と干渉しない位置に設けることが必要である。
【００６０】
以上のように、本実施形態に係る光ピックアップ装置では、筐体２の底面側には、アクチュエータ１を取り付け可能な開口部２５が設けられており、開口部２５は、開口部２５の前端部に設けられた軸２４を支点として開閉される。
【００６１】
また、本実施形態に係る光ピックアップ装置の組み立て方法は、開口部２５を開く工程と、アクチュエータ１を開口部２５に取り付ける工程と、開口部２５を閉じることによって、アクチュエータ１を筐体２に挿入する工程とを含む。
【００６２】
（光ピックアップ装置の構成の変形形態）
本発明の実施の形態において、上記実施の形態のように、筐体における可動量規制手段をアクチュエータ保護手段として機能させるが、アクチュエータ保護手段は、これに限定されるものではない。例えば、筐体の内側壁に設けられた可動量規制手段とは別体の部品として、アクチュエータを保護するとともに、弾性支持部材１４が筐体２の天井面側に動くことを防止するための手段（アクチュエータ保護手段）を、筐体の内壁と一体的に（一体として）設けることも可能である。この場合、筐体の内側壁に設けられた可動量規制手段を、必ず上記実施の形態に説明した位置に設けることに限定されない。つまり、アクチュエータを筐体に組み立てる際に影響を与えない上で、アクチュエータに設けられた可動量規制手段と組み合わせてレンズホルダーの可動量を制御できればよい。
【００６３】
このように、アクチュエータ保護手段を筐体の内側壁に設けたので、光ピックアップ装置全体の厚み方向のサイズを増やすことなく、アクチュエータを保護し、性能を維持することができる。
【００６４】
ブルーレイディスク（登録商標）など焦点距離が短い記録媒体を記録・再生の対象とする装置の場合では、アクチュエータ保護手段を設置する場所が限られるので、筐体２における可動量規制手段２１をアクチュエータ保護手段として機能させることが望ましい。また、ブルーレイディスク（登録商標）以外の、焦点距離があまり短くない記録媒体を記録・再生の対象とする装置については、筐体２における可動量規制手段２１とアクチュエータ保護手段とをそれぞれ別体に設置することもできる。別体設置の方が必要な部分のみに弾性支持体４の部分を保護する構成を選択形成することができる。したがって、部品配置の自由度が増し、装置の軽量化が可能となる。
【００６５】
また、本発明の実施の形態において、アクチュエータ１のベースプレート１７の表面に立上げミラー３１の保護手段１８’（第１の保護手段、図２を参照）を設けることが好ましい。従来の光ピックアップ装置においては、アクチュエータを、筐体の上方から配置するため、アクチュエータ部品によって立上げミラーなどの光学部品の下部に保護手段を設けることはできなかった。これに対し、上記のように、本発明では、アクチュエータ１を筐体２の底面側から挿入して取り付けることができる。このため、アクチュエータ１の取り付け後に、立上げミラー３１などの光学部品の底面（筐体２の底面側にある面）を保護する保護手段１８’を設けることができる。つまり、光学部品保護手段を一体化することで、部品点数を増やすことなく、外的要因から光学部品を筐体２の底面側から保護することが可能となる。
【００６６】
ここで、立上げミラー３１の保護手段１８’は、ベースプレート１７の前段部が独立した構成になっていて、単にベースプレート１７の前端部をそのまま伸ばすのではなく、例えば、Ｚ曲げを入れたり潰しを入れたり、立上げミラー３１を設置する高さ方向に配慮した形状が望ましい。
【００６７】
つまり、立上げミラー３１の保護手段１８’は、アクチュエータ１の取り付け後に立上げミラー３１を保護可能な位置関係に設けることが必要であるが、立上げミラー３１の高さが光学系にも依存するため、ベースプレート１７の前段部を単純に延ばすだけでなく、立上げミラー３１を設置する高さ方向に配慮した形状が望ましい。
【００６８】
また、本発明の実施の形態において、図５に示すように、筐体２の天井面側、かつ、対物レンズ１０’より筐体２の天井面の主軸側（光ディスクの回転方向の手前側）に異物除去手段２２を形成することが好ましい。この構成により、対物レンズ１０’への異物付着を低減し、顧客における対物レンズ１０’のクリーニング機会を低減させるため、商品寿命を向上させることが可能となる。また、本発明では、筐体２の上面に、アクチュエータ１を保護するためのカバーなどの別体部品が必要としないため、異物除去手段２２の配置位置は自由に設計できる。つまり、異物除去手段２２の配置位置および形状として、光ディスク上の異物を除去して対物レンズ１０’への異物付着を低減することができれば、特に限定されていない。
【００６９】
また、本発明の実施の形態において、図５に示すように、筐体２の天井面側、かつ、対物レンズ１０’より筐体２の天井面側の外周側（光ディスクの外周側方向）に、記録媒体４０（ディスクメディア、光ディスク）の保護手段２３（第２の保護手段）を形成することが好ましい。これにより、部品点数を増やすことなく、記録媒体４０の樹脂面傷から保護することができる。また、本発明では、筐体２の上面に、アクチュエータ１を保護するためのカバーなどの別体部品が必要としないため、保護手段２３の配置位置は自由に設計できる。なお、筐体２が成形材料などディスクメディア樹脂面の材料より柔らかい材料によって構成されると、更に効果を増加する。
【００７０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７１】
本発明の光ピックアップ装置は、部品点数や装置全体の厚みを抑えながら、アクチュエータの性能を決める弾性支持部材の保護と可動量の規制とを効果的に実現することができるので、小型化を目指す光ピックアップ装置に好適に用いることができる。
【符号の説明】
【００７２】
１      アクチュエータ
１０    レンズホルダー
１０’  対物レンズ
１１    可動量規制手段（第１の可動量規制手段）
１２    支持部材
１３    磁石
１４    弾性支持部材
１５    フォーカスコイル
１６    トラッキングコイル
１７    ベースプレート（ベース部材）
１８    位置決め部
１８’  保護手段（第１の保護手段）
２      筐体
２０    ベースフレーム
２１    可動量規制手段（第２の可動量規制手段、アクチュエータ保護手段）
２２    異物除去手段
２３    保護手段（第２の保護手段）
２４    軸
２５    開口部
３０    光源
３１    立上げミラー（光学部品）
３２    コリメータレンズ（光学部品）
４０    記録媒体
【図１】
2011170906.tif 000003
【図２】
2011170906.tif 000004
【図３】
2011170906.tif 000005
【図４】
2011170906.tif 000006
【図５】
2011170906.tif 000007
【図６】
2011170906.tif 000008